(57)【特許請求の範囲】
【請求項１】
空気調和機の室内機に内蔵された電装品箱において、
前面側に開口が設けられた箱状の箱部と、該箱部に回動自在に設けられ、前記開口を開閉する蓋体と、該蓋体の外側面に設けられた端子台とを備え、
該端子台には、電装品箱内の電子部品と電気的に接続される電装品用配線と、空気調和機の室内機と室外機とを接続する渡り配線とが接続され、
前記蓋体の一端部側に該蓋体の回動軸が位置し、前記端子台は、前記渡り配線の接続部を前記蓋体の他端部側、電装品用配線を前記蓋体の前記一端部側に向けて設けられ、
前記箱部には、前記蓋体の前記一端部側に臨んで、前記蓋体を開けた際に前記電装品用配線を逃がすための開口部が設けられていることを特徴とする電装品箱。
【請求項２】
請求項１に記載の電装品箱において、
前記端子台が、前記渡り配線が接続される接続部を前面側下方に向けた傾斜姿勢で前記蓋体に設けられていることを特徴とする電装品箱。
【請求項３】
請求項１または２に記載の発明において、
前記電装品箱内には、電子部品を備えた基板が前記電装品箱の内側面と略平行に設けられ、
前記蓋体の裏面には、前記基板が嵌合される切り欠きを有する固定部材が設けられ、
該蓋体を閉じた状態で前記切り欠きに前記基板の端部が嵌合して前記基板が固定されるとともに、該蓋体を開いた状態で前記切り欠きから前記基板が解放されて前記基板の固定が解除されることを特徴とする電装品箱。
【請求項４】
室外機と室内機とを備え、これら室外機と室内機との間で冷媒を循環させることにより、室内の冷房または暖房を行う空気調和機において、
前記室内機内に、請求項１から３いずれかに記載の前記電装品箱が前記蓋体を室内機前面側に向けて収容されていることを特徴とする空気調和機。
【発明の詳細な説明】
【０００１】
【発明の属する技術分野】
本発明は、空気調和装置の室内機に用いられる電装品箱に関する。
【０００２】
【従来の技術】
図６に示すように、空気調和装置の室内機Ａには、電装品箱１が設けられている。通常、空気調和装置は室内から電源をとり、室外機に対しては冷媒配管等とともに室内機との間に接続された渡り配線によって給電・コントロールされている。電装品箱１には、空気調和装置の制御を行うための電子部品等が収容されているほか、電装品箱１内の配線と室外機に給電される渡り配線とを接続するための端子台を備えている。
この端子台を電装品箱とともに図７に示した。図において、符号１は電装品箱である。電装品箱１内には、端子台２が垂直の姿勢で設けられており、この端子台２に渡り配線３と、電装品箱１内の基板に結線された配線４が接続される。渡り配線３は、端子台２に下方から強く押し込むことにより取り付けられる。
【０００３】
【発明が解決しようとする課題】
しかしながら、渡り配線３は柔軟性に乏しい太い銅線により構成されているために取り扱い性が悪い。上記従来の電装品箱では、端子台２が垂直下方を向いているため、このような渡り配線３を下方から挿入することは必ずしも容易ではなかった。
また、端子台から電装品箱への配線や、電装品箱内の回路で用いられる配線がむき出しとなっており、空気調和機設置やメンテナンス等の際に配線を引っかけて断線させてしまうおそれがあった。
【０００４】
本発明は上記事情に鑑みて成されたものであり、配線作業が容易であるとともに、配線の保護を行うことができる電装品箱および空気調和機を提供することを特徴とする。
【０００５】
【課題を解決するための手段】
請求項１に記載の発明は、空気調和機の室内機に内蔵された電装品箱において、前面側に開口が設けられた箱状の箱部と、該箱部に回動自在に設けられ、前記開口を開閉する蓋体と、該蓋体の外側面に設けられた端子台とを備え、該端子台には、電装品箱内の電子部品と電気的に接続される電装品用配線と、空気調和機の室内機と室外機とを接続する渡り配線とが接続され、前記蓋体の一端部側に該蓋体の回動軸が位置し、前記端子台は、前記渡り配線の接続部を前記蓋体の他端部側、電装品用配線を前記蓋体の前記一端部側に向けて設けられ、前記箱部には、前記蓋体の前記一端部側に臨んで、前記蓋体を開けた際に前記電装品用配線を逃がすための開口部が設けられていることを特徴とする。
【０００６】
この発明においては、蓋体が設けられていることにより、電装品箱内の配線・電子部品等の露出が防止され、作業時の障害となることが防止される。メンテナンス等で電装品箱内にアクセスする必要が生じた場合には、蓋体を開放すればよい。
また、この発明によれば、回動軸側に電装品用配線が位置し、他端部側に渡り配線が設けられるため、渡り配線をはずした状態で蓋体を開閉する際に、電装品用配線に負荷をかけずにスムーズに開閉可能となる。電装品用配線は開口部を経て箱部内部と外部の端子台とを接続する。
【０００７】
請求項２に記載の発明は、請求項１に記載の電装品箱において、前記端子台が、前記渡り配線が接続される接続部を前面側下方に向けた傾斜姿勢で前記蓋体に設けられていることを特徴とする。
【０００８】
この発明によれば、端子台が垂直な姿勢であるよりも、渡り配線を端子台に挿入する作業が容易となる。
【００１１】
【００１２】
請求項３に記載の発明は、請求項１または２に記載の発明において、前記電装品箱内には、電子部品を備えた基板が前記電装品箱の内側面と略平行に設けられ、前記蓋体の裏面には、前記基板が嵌合される切り欠きを有する固定部材が設けられ、該蓋体を閉じた状態で前記切り欠きに前記基板の端部が嵌合して前記基板が固定されるとともに、該蓋体を開いた状態で前記切り欠きから前記基板が解放されて前記基板の固定が解除されることを特徴とする。
【００１３】
この発明においては、蓋体を閉じることにより基板が確実に固定される。また、メンテナンス等で基板を取り外す場合には蓋体を開ける必要があるが、蓋体を開けることで、自動的に基板の固定が解除される。
【００１４】
請求項４に記載の発明は、室外機と室内機とを備え、これら室外機と室内機との間で冷媒を循環させることにより、室内の冷房または暖房を行う空気調和機において、前記室内機内に、請求項１から３いずれかに記載の前記電装品箱が前記蓋体を室内機前面側に向けて収容されていることを特徴とする。
【００１５】
この発明においては、電装品箱に蓋体が設けられていることにより、電装品箱内の配線・電子部品等の露出が防止され、空気調和機の設置作業等において作業の障害となることが防止される。また、メンテナンス等で電装品箱内にアクセスする必要が生じた場合には、蓋体を開放すればよい。その他、上記各電装品箱の作用を得ることができる。
【００１６】
【発明の実施の形態】
次に、本発明の実施形態について、図面を参照して説明する。
図１に示したものは、本発明の一実施形態として示した空気調和装置の室内機に設けられる電装品箱である。電装品箱は難燃性ポリスチレン製であって、室内機幅方向に狭い箱状の箱部１０を備えている。この箱部１０には前面側に開口が設けられ、この開口を覆って開閉自在な蓋体１５が設けられている。蓋体１５の上部には、箱部１０を両サイド外側から挟むアーム部１５ａが設けられている。このアーム部１５ａ先端と、箱部１０の上部前面側が回動自在に連結されている。すなわち、蓋体１５の回転軸１６は室内機の幅方向に延在しており、蓋体１５は、図１の閉じた状態のように箱部１０と接している状態から、図３の開いた状態のように手前側に回動して略水平となる位置まで回動自在となっている。
図１の閉じた状態からわかるように、蓋体１５の上方に臨んで、箱部１０内部に通じる開口部１８が形成された状態となっている。符号１９は係止ストッパであり、蓋体１５の回動に対して、アーム部１５ａを係止することにより、蓋体１５の一定角度以上の開放を阻止するようになっている。蓋体１５が最大に開いた状態では、図３のように、開口部１８は完全に閉じないようになっている。
また、符号２１は箱部１０に設けられた爪であり、２２は蓋体１５に設けられ、蓋体１５が閉じた状態で爪２１と係合して蓋体１５を固定する受け部である。
【００１７】
符号２５は端子台である。端子台２５は、後述の各配線が固定される台であり、下部に渡り配線４０を差し込んで固定する接続部２５ａが設けられている。渡り配線４０は３本の銅線からなり、接続部２５ａは、不図示の３つの穴を備えており、各銅線を穴に挿入することで、渡り配線４０を端子台２５に接続するようになっている。
端子台２５は、図２に示した蓋体１５の端子台取り付け部３０に固定される。端子台取り付け部３０は、前面側下方に傾斜する傾斜面となっており、上部および下部に、端子台２５の上端及び下端が嵌合する縁部３２，３３が設けられている。また、両側部には垂直に立ち上がる壁部３４，３５が設けられており、それぞれ端子台２５を引っ掛けるための爪３４ａ、３５ａが設けられている。また、符号３６は端子台２５をボルト留めするための孔である。
【００１８】
さらに、図１に示すように、蓋体１５には、渡り配線４０を固定するためのクランプ４１が取り付けられる。このクランプ４１は、図４に示すように、一端部を、蓋体１５に設けられた孔４３に挿入させるとともに、他端部を蓋体１５に対してボルト４２によってボルト留めされる。クランプ４１の一端部先端は外側に延びた鈎状となっているため、孔４３の縁に係止されて蓋体１５から脱落しないようになっている。
【００１９】
図５のように、箱部１０の内部の少なくとも一側壁側には、電子部品を備えた基板４９が箱部１０に固定されている。蓋体１５の裏側（箱部１０内側）の上部（図１参照）には、基板４９を固定する固定部材５０が設けられている。この固定部材５０には切り欠き５１が形成されており、蓋体１５を閉じた状態で、切り欠き５１が基板４９に嵌り込むことにより、基板４９の縁が固定されるようになっている。
【００２０】
このように構成された本例の電装品箱においては、まず、基板４９の取り付け等、箱部１０内部への必要な作業を行う。その後、蓋体１５を閉じた状態で取り付け、端子台２５と電装品箱側の電装品用配線５５（図１参照）を取り付ける。蓋体１５を閉じた状態では、爪２１と受け部２２とが係合していることにより、蓋体１５を確実に閉じることができる。さらに、蓋体１５を閉じた状態では、図５のように固定部材５０の切り欠き５１が基板４９に嵌り込むことにより、基板４９をより強固に固定することができる。
そして、空調装置の設置現場において渡り配線４０を端子台２５に接続する。
渡り配線４０は、クランプ４１によって確実に蓋体１５に固定される。
メンテナンス等で基板４９にアクセスしたり基板４９を取り外す必要が生じた場合、渡り配線４０を取り外し、蓋体１５を開く。このとき、固定部材５０による基板４９の固定が解除される。そして、基板４９のメンテナンスを行う。
ここで、蓋体１５を開閉しても、開口部１８が設けられていることにより、電装品用配線５５が蓋体１５と箱部１０との間で挟まれることが防止されている。
また、蓋体１５を開いた状態では電装品用配線５５が蓋体１５とともに上方にスムーズに逃がすことができる。このため、電装品用配線５５に負担を与えないとともに、電装品箱内の構成をより単純化することができ、メンテナンスが容易となる。
【００２１】
以上のように、本例の電装品箱においては、箱部１０に蓋体１５が設けられていることにより、基板４９や必要以上の配線の露出を防ぐことができる。したがって、配線の破損等を防止することができる。
端子台２５は前面側下方に傾斜しているため、作業員が渡り配線４０を端子台２５に接続する際に非常に作業しやすい角度となっていて、作業効率を向上させることができる。
また、端子台２５に渡り配線４０を挿入する角度が、略回動軸１６方向となっているため、渡り配線４０を挿入するために大きな力を加えても、蓋体１５を回転させる方向に力が作用しにくい。
蓋体１５の回動を規制する係止ストッパ１９が設けられていることにより、蓋体１５の必要以上の開放を規制し、開口部１８を確保することによる電装品用配線５５の挟み込みを防止することができる。
また、渡り配線４０はクランプ４１によって固定されるため、渡り配線４０を確実に固定することができる。
さらに、蓋体１５の裏面に固定部材５０が設けられていることにより、蓋体１５を閉じることによって基板４９を確実に固定することができる。また、メンテナンス等で基板４９を取り外したりする場合には蓋体１５を開ける必要があるが、蓋体１５を開けることで、自動的に基板４９の固定が解除される。さらにまた、固定部材５０は蓋体１５の上部に設けられていて回転軸の近傍に位置している。回転軸が固定の支点となることから、大きな固定力を得ることができる。
また、蓋体１５を閉じた状態では、爪２１が受け部２２に係合しているため、蓋体１５を確実に閉状態としておくことができる。
【００２２】
なお、上記の例では蓋体１５の上部に回動軸１６が設けられて、蓋体１５が上下に回動する構成としたが、これに限らず、回動軸１６が下部、左右、または蓋体１５の中央部に設けられていてもよい。
【００２３】
【発明の効果】
以上説明したように、本発明においては以下の効果を得ることができる。
請求項１に記載の発明によれば、蓋体が設けられていることにより、電装品箱内の配線・電子部品等の露出が防止されるため、配線の破損等を防止することができる。
請求項２に記載の発明によれば、端子台が垂直な姿勢であるよりも、渡り配線を端子台に挿入する作業が容易であるために作業効率を向上させることができる。
請求項３に記載の発明によれば、回動軸側に電装品用配線が位置しているため、渡り配線をはずした状態で蓋体を開閉する際に、電装品用配線に負荷をかけずにスムーズに開閉することができる。
請求項４に記載の発明によれば、蓋体を閉じることにより基板を確実に固定することができ、また、蓋体を開けることにより、基板の固定を解除することができる。
請求項５に記載の発明によれば、蓋体が設けられていることにより、上記各効果を得ることができる空気調和機を提供することができる。
【図面の簡単な説明】
【図１】  本発明の一実施形態として示した空気調和機の電装品箱を示した斜視図である。
【図２】  同電装品箱において端子台を取り外した状態の斜視図である。
【図３】  同電装品箱において、蓋体を開放した状態を示した斜視図である。
【図４】  同電装品箱において、渡り配線を固定するクランプを示した断面図である。
【図５】  同電装品箱において、蓋体を閉じて固定部材が基板を固定している状態を示した図である。
【図６】  空気調和機の室内機に収容された電装品箱を示した図である。
【図７】  従来の電装品箱を示した部分斜視図である。
【符号の説明】
１０  箱部
１５  蓋体
１８  開口部
２５  端子台
４０  渡り配線
５０  固定部材
５５  電装品用配線
【図１】
0004752004.tif 000002
【図２】
0004752004.tif 000003
【図３】
0004752004.tif 000004
【図４】
0004752004.tif 000005
【図５】
0004752004.tif 000006
【図６】
0004752004.tif 000007
【図７】
0004752004.tif 000008